(57)【要約】      （修正有）【課題】全体の美観性を向上させる組み立てバスケットを提供する。【解決手段】本体１１、該本体１１の両側縁に対向して設けられた第一斜面１２１及び第一凹溝１２２を含む第一組立体１２及び該第一斜面１２１に対応する第二斜面１３１及び該第一凹溝１２２に連通する第二凹溝１３２を含む第二組立体１３をそれぞれ含む四つの板材１０、第一柱体２１、第二柱体２２及び該第一柱体２１と該第二柱体２２を接続する接続部材２３をそれぞれ含む該第一凹溝１２２及び該第二凹溝１３２に係止されて立方体構造を形成する四つの固定結合柱２０及び該四つの板材１０の底側に設けられた底板を含む組み立てバスケットであって、該四つの固定結合柱２０は該四つの板材１０内に内蔵が可能である。【選択図】図１
0003214051.tif 000002
【実用新案登録請求の範囲】
【請求項１】
本体、該本体の両側縁に対向して設けられた第一斜面及び該第一斜面に位置する第一開口、第一位置決め凹部及び該第一位置決め凹部と該第一開口を連通する内経が該第一位置決め凹部の内経よりも小さい第一規制部を有する第一凹溝を含む第一組立体及び該第一斜面に対応する第二斜面及び該第二斜面に位置しかつ該第一開口に対応して連通する第二開口、第二位置決め凹部及び該第二位置決め凹部と該第二開口を連通する内経が該第二位置決め凹部の内経よりも小さい第二規制部を有する第二凹溝を含む第二組立体をそれぞれ含む互いに隣接しかつ矩形を囲む四つの板材、
該第一位置決め凹部に係止された第一柱体、該第二位置決め凹部に係止された第二柱体及び該第一柱体と該第二柱体を接続するための、該第一規制部材及び該第二規制部材に係止されて、立方体構造を形成する接続部材をそれぞれ含む、該四つの板材を結合するための四つの固定結合柱、及び
該四つの板材の底側に設けられた底板を含むことを特徴とする、組み立てバスケットである。
【請求項２】
それぞれ該四つの第一組立体と該四つの第二組立体の対向する両側に設けられた八つの補助固定部材をさらに含むことを特徴とする、請求項１に記載の組み立てバスケットである。
【請求項３】
該四つの板材がさらに底板が係止されて、該底板を位置決め係止する複数の固定部を有する、底部に設けられた係止溝をそれぞれ含むことを特徴とする、請求項１に記載の組み立てバスケットである。
【考案の詳細な説明】
【技術分野】
【０００１】
本案は、バスケットに関し、特に組み立てバスケットに関するものである。
【背景技術】
【０００２】
生活空間を効果的に使用するために、一般的には室内空間に多くの物置、食器棚などを設計して、各種の品物などを収納するが、従来のシステムキャビネットには計画、設計、乃至施工などの工程が必要であり、コストが高いだけでなく、また加飾柔軟性を備えず、したがって、組み立てキャビネット、組み立てバスケットなどの製品は登場し、かつ徐々に市場の主流となっている。
【０００３】
アメリカ特許第US 20070034584号の「Assembling type sectional shelf structure」を例にとると、それは複数の直角柱状ラック、これらのラックの対向側の角部に組み立てられかつその内側に三角形貫通孔を有する複数の組み立て部材、中心部に位置する支持部材孔、内壁両側に形成されたガイドリブ及び側表面に形成された接合突起を有し、かつこれらの組み立て部材の貫通孔内に挿入された複数の固定部材、ガイドリブに接続されたガイド溝を有し、かつ支持部材の一方の側表面に固定部材の接合突起に接合された接合溝が形成される複数の支持部材を含む。
【０００４】
しかしながら、このような組み立てキャビネットの全体の美観性は低く、人々に安いという印象を与えやすく、したがって、どのようにして組み立てキャビネットの全体の美観性を向上させるかは、難題である。
【考案の概要】
【考案が解決しようとする課題】
【０００５】
本案は、主に組み立てキャビネット、組み立てバスケットなどの製品の全体の美観性が低いという問題を解決することを目的とする。
【課題を解決するための手段】
【０００６】
上記目的を達成するために、本案は本体、該本体の両側縁に対向して設けられた第一斜面及び該第一斜面に位置する第一開口、第一位置決め凹部及び該第一位置決め凹部と該第一開口を連通する内経が該第一位置決め凹部の内経よりも小さい第一規制部を有する第一凹溝を含む第一組立体及び該第一斜面に対応する第二斜面及び該第二斜面に位置しかつ該第一開口に対応して連通する第二開口、第二位置決め凹部及び該第二位置決め凹部と該第二開口を連通する内経が該第二位置決め凹部の内経よりも小さい第二規制部を有する第二凹溝を含む第二組立体をそれぞれ含む互いに隣接しかつ矩形を囲む四つの板材、
該第一位置決め凹部に係止された第一柱体、該第二位置決め凹部に係止された第二柱体及び該第一柱体と該第二柱体を接続するための、該第一規制部材及び該第二規制部材に係止されて、立方体構造を形成する接続部材をそれぞれ含む、該四つの板材を結合するための四つの固定結合柱、及び
該四つの板材の底側に設けられた底板を含むことを特徴とする、組み立てバスケットを提供する。
【考案の効果】
【０００７】
以上説明したように、本案は該第一組立体及び該第二組立体の設置により、該固定結合柱の内蔵が可能であり、全体の美観性を向上させる。
【図面の簡単な説明】
【０００８】
【図１】本案の一実施例の部分分解模式図１である。
【図２Ａ】本案の一実施例の部分平面模式図である。
【図２Ｂ】図２Ａの部分拡大模式図１である。
【図２Ｃ】図２Ａの部分拡大模式図２である。
【図３】本案の一実施例の部分組合せ模式図である。
【図４】本案の一実施例の部分分解模式図２である。
【図５】本案の一実施例の立体構造模式図である。
【考案を実施するための形態】
【０００９】
以下では本案の詳細な説明及び技術内容について、図面を参照しながら説明する。
【００１０】
「図１」から「図４」に示すとおり、本案は組み立てバスケットであって、四つの板材１０、四つの固定結合柱２０及び底板３０を含み、該四つの板材１０はそれぞれ本体１１、第一組立体１２及び第二組立体１３を含み、該第一組立体１２及び該第二組立体１３は該本体１１の両側縁に対向して設けられ、該四つの第一組立体１２はそれぞれ第一斜面１２１及び第一凹溝１２２を含み、該第一凹溝１２２は該第一斜面１２１に位置する第一開口１２３、第一位置決め凹部１２４及び該第一位置決め凹部１２４と該第一開口１２３を連通する第一規制部１２５を有し、該第一位置決め凹部１２４の内径は該第一規制部１２５の内径よりも大きい。該四つの第二組立体１３はそれぞれ該第一斜面１２１に対応する第二斜面１３１及び第二凹溝１３２を含み、該第二凹溝１３２は該第二斜面１３１に位置しかつ該第一開口１２３に対応して連通する第二開口１３３、第二位置決め凹部１３４及び該第二位置決め凹部１３４と該第二開口１３３を連通する第二規制部１３５を有し、該第二位置決め凹部１３４の内径は該第二規制部１３５の内径よりも大きい。
【００１１】
該四つの固定結合柱２０は該四つの板材１０を結合するために用いられ、かつそれぞれ第一柱体２１、第二柱体２２及び該第一柱体２１と該第二柱体２２を接続する接続部材２３を含み、該四つの第一柱体２１はそれぞれ該四つの第一位置決め凹部１２４に係止され、該四つの第二柱体２２はそれぞれ該四つの第二位置決め凹部１３４に係止され、該四つの接続部材２３はそれぞれ該四つの第一規制部１２５及び該四つの第二規制部１３５に係止され、よって、該四つの固定結合柱２０がいずれも該四つの第一位置決め凹部１２４、該四つの第二位置決め凹部１３４、該四つの第一規制部１２５及び該四つの第二規制部１３５に係止される場合、「図４」に示すとおり、立方体構造を形成し、該底板３０は該四つの板材１０の底側に設けられ、底側の開口を封止し、キャビネットを形成する。これにより、該四つの固定結合柱２０は該第一組立体１２及び該第二組立体１３内に内蔵されてもよく、組み立ての跡が残らないようにし、全体の美観性を向上させる。
【００１２】
本実施例では、該第一位置決め凹部１２４、該第二位置決め凹部１３４の形状は円柱状凹溝である一方、該第一柱体２１及び該第二柱体２２の形状は該第一位置決め凹部１２４、該第二位置決め凹部１３４に対応して円柱体であり、該第一規制部１２５及び該第二規制部１３５は該第一開口１２３及び該第二開口１３３を経て連通した後の形状が矩形凹溝であり、該接続部材２３の形状は該第一規制部１２５及び該第二規制部１３５に対応して矩形柱体であり、該四つの固定結合柱２０を該第一組立体１２及び該第二組立体１３と完璧に結合させることができる。
【００１３】
また、該四つの板材１０はさらにそれぞれ底部に設けられた係止溝７０を含み、該底板３０は該四つの係止溝７０に係止されて固定され、さらに該底板３０の摺動を防止するために、該四つの係止溝７０はさらにそれぞれ該底板３０を位置決め係止する複数の固定部７１を有する。本実施例では、該四つの板材１０のいずれかは手提げ部８０を有し、かつ該四つの板材１０において該手提げ部８０を有する該板材１０は貫通孔８１を有し、該貫通孔８１は該板材１０の縁部に隣接して該手提げ部８０を形成し、手提げ、抽出使用の利便性を向上できる。
【００１４】
続けて併せて「図４」及び「図５」に示すとおり、さらに全体の美観を向上させるために、さらにそれぞれ八つの補助固定部材６０を該四つの第一組立体１２と該四つの第二組立体１３の対向する両側に設けることができ、該八つの補助固定部材６０の外面模様は該四つの板材１０の外面模様に対応してもよく、一致性を有し、全体の美観を向上させる。
【００１５】
以上説明したように、本案は、
一、該四つの固定結合柱を該四つの第一組立体及び該四つの第二組立体内に内蔵することにより、組み立ての跡が残らないようにし、全体の美観を向上できること、
二、該四つの係止溝及びこれらの固定部の設置により、該底板の摺動を防止できること、
三、該補助固定部材の設置により、かつ該板材の表面模様と一致性を有し、全体の美観を向上できること、
四、該手持ち部の設置により、手提げ、抽出使用の利便性を向上できること、という特徴を有する。
【図１】
0003214051.tif 000003
【図２Ａ】
0003214051.tif 000004
【図２Ｂ】
0003214051.tif 000005
【図２Ｃ】
0003214051.tif 000006
【図３】
0003214051.tif 000007
【図４】
0003214051.tif 000008
【図５】
0003214051.tif 000009